(57)【要約】【課題】本発明は、中継の光ケーブルを用いる必要がなくて部品点数を少なくでき、簡単な構成の光用架体を提供できる。【解決手段】本発明の光用架体１００によれば、搭載枠５と、搭載枠５の背面側から前面側に引き出された光ファイバ９１に別の光ファイバ８１を接続した接続部３１が設けられる接続ユニット３２とを備え、搭載枠５には、光ファイバ９１を保持する光ファイバ保持体６と、光ファイバ保持体６から搭載枠前面側に延出されている光ファイバ９１を保持するとともに、光ファイバ９１の搭載枠５からの引き出し方向を設定する配線用エレメント７とが収納され、光ファイバ保持体６は、光ファイバ９１を保持したまま搭載枠５の背面側から開口部を通って搭載枠５の前面側に取り出すことができ、搭載枠５の前面側にて配線用エレメント７と合体されて、搭載枠５の前面側から搭載枠５内に収納される構成とする。【選択図】  図１
2004309728.tif 000002
【特許請求の範囲】
【請求項１】
複数本の光ファイバ（９１）を別の光ファイバ（８１）へ分岐又は接続する光用架体（１００）において、
背面側から前面側まで貫通する開口部（５１）が形成されている搭載枠（５）と、該搭載枠の背面側から開口部に挿通して前面側に引き出された光ファイバ（９１）に別の光ファイバ（８１）を接続した接続部（３１）が設けられる接続ユニット（３２）とを備え、
前記搭載枠には、前記開口部に挿通された光ファイバを保持する光ファイバ保持体（６）と、該光ファイバ保持体から搭載枠前面側に延出されている光ファイバを保持するとともに、該光ファイバの前記搭載枠からの引き出し方向を設定する配線用エレメント（７）とが収納されるようになっており、
前記光ファイバ保持体は、光ファイバを保持したまま前記搭載枠の背面側から前記開口部を通って前記搭載枠の前面側に取り出すことができ、さらに、前記搭載枠の前面側にて前記配線用エレメントと合体されて、前記配線用エレメントと合体したまま前記搭載枠の前面側から前記搭載枠内に収納されるようになっていることを特徴とする光用架体。
【請求項２】
前記搭載枠の開口部に挿通された光ファイバが、光コネクタによってコネクタ接続可能に成端された光ファイバであり、前記接続ユニットには、前記搭載枠から前面側に引き出された前記光ファイバに対して前記別の光ファイバをコネクタ接続可能に成端した光コネクタアダプタ（３３）が複数、配列設置されていることを特徴とする請求項１に記載の光用架体。
【請求項３】
背面側から前面側まで貫通する開口部（５１）が形成されている搭載枠（５）の前記開口部に、光ファイバ（９１）の途中に取り付けた光ファイバ保持体（６）と、この光ファイバ保持体から前記搭載枠の前面側に延出された光ファイバを保持して光ファイバの前記搭載枠からの引き出し方向を設定する配線用エレメント（７）とが収納されるようになっており、
光ファイバの途中に取り付けた光ファイバ保持体を、搭載枠の背面側から該搭載枠の前記開口部を経由して前記搭載枠の前面側に取り出すことで、光ファイバを前記搭載枠の前記開口部に挿通せしめるとともに、前記搭載枠の前面側にて、前記光ファイバ保持体と前記配線用エレメントとを合体して、前記光ファイバ保持体を前面側から前記搭載枠内に収納することにより、前記搭載枠から前面側へ引き出される光ファイバが前記配線用エレメントによって保持されることを特徴とする光配線方式。
【発明の詳細な説明】
【０００１】
【発明の属する技術分野】
本発明は、複数本の光ファイバを別の光ファイバへ分岐又は接続する光用架体及び光配線方式に関する。
【０００２】
【従来の技術】
図１２は、従来例の光配線ユニットとしての光用架体１を示す概略図であり、（ａ）は前面図、（ｂ）は（ａ）中のＸ−Ｘ矢視図である。また、図１３は、前記光用架体１の一例を示す配線図である。
なお、ここでは、図１２（ａ）紙面手前，図１２（ｂ）の左側（光用架体１の左側）を光用架体１の前面側と称し、図１２（ｂ）の右側（光用架体１の左側）を光用架体１の背面側と称することとする。
【０００３】
図１２中、符号２は、光用架体１を構成する架本体２（架体フレーム）であり、図１２中左側の成端部３と、図１２中右側の光ファイバ配線部４とにほぼ２分された構成になっている。
成端部３には、外観薄板状のケース構造である光モジュール３１（成端モジュール）が縦置き横並びに複数配列収納されている接続ユニット３２が、上下に多段に搭載されている。各光モジュール３１には、光ファイバケーブル８端末に口出しされた光ファイバ８１が架体背面側から引き込まれており、さらに、この光ファイバ８１先端をコネクタ接続可能に成端する光コネクタアダプタ３３が、架前面側に向けて配置される側部に備えられている。
【０００４】
一方、前記光ファイバ配線部４には、搭載枠４１が上下に多段に収納されている。この搭載枠４１は、薄板状のジャンパユニット４２と、やはり薄板状の配線用エレメント４３との対を、上下に多段に収納するラックである。ジャンパユニット４２と配線用エレメント４３とは、配線用エレメント４３が、ジャンパユニット４２に対して架体前面側に配置されるようにして、搭載枠４１に収納される。
【０００５】
図１３に示すように、前記ジャンパユニット４２には、光ファイバ４４の一端が固定されており、さらに、この光ファイバ４４をコネクタ接続可能に成端する光コネクタアダプタ４５が取り付けられている。光ファイバ４４の他端、すなわち、ジャンパユニット４２とは逆の側の端部は、光コネクタ４６によってコネクタ接続可能に成端されており、成端部３に引き込んで、光モジュール３１の光コネクタアダプタ３３に対して切り替え可能にコネクタ接続（ジャンパ接続）される。光ファイバ４４は、いわゆるジャンパコードとして用いられる。
このジャンパユニット４２は、光コネクタアダプタ４５を架体背面側に臨ませて搭載枠４１に収納される。
【０００６】
配線用エレメント４３は、搭載枠４１に収納されたジャンパユニット４２から架体前面側に延出される前記光ファイバ４４の配線方向（換言すれば、搭載枠４１からの引き出し方向）を設定（配線方向設定機能）するものであり、例えば、架体前面側にて光ファイバ４４を保持したまま回転することで光ファイバ４４の配線方向を変更、設定する可動アーム（図示略）を備える構造や、架体前面側に突出されたアーム（図示略）の複数箇所に設けられている光ファイバ保持部を選択して、光ファイバ４４を保持することで、光ファイバ４４の配線方向を設定できる構造を有するものである。
【０００７】
この光用架体１では、光ファイバ配線部４に引き込んだ光ファイバ９１（この光ファイバ９１は光ファイバケーブル９から口出しされている）を、ジャンパユニット４２の光コネクタアダプタ４５に接続し、この光コネクタアダプタ４５を介して光ファイバ９１と接続された光ファイバ４４を、成端部３の光モジュール３１の光コネクタアダプタ３３に接続することで、光ファイバ９１が光ファイバケーブル８側の目的の光回線（光ファイバ８１）に対して接続される。また、搭載枠４１から架体前面側に引き出されている光ファイバ４４の本数が多数本であっても、配線用エレメント４３の配線方向設定機能を利用することで、成端部３への引き込みに適した方向への光ファイバ４４の配線を整然と行うことができる。さらに、配線用エレメント４３の機能により、成端部３への配線とは異なる方向、例えば、別の架体への配線や、成端部３の光モジュール３１の光コネクタアダプタ３３への接続を待機している光ファイバ４４を保留するための保留部４７（図では、保留部４７は、搭載枠４１の設置位置を介して成端部３と対向する側にある）への配線なども、整然と行うことができ、しかも、光ファイバ４４を取り出して配線方向を変更する作業（例えば、保留部から取り出した光ファイバ４４を成端部３に配線することなど）等も効率良く行える。
なお、上述した構成の光用架体に関する技術を開示する先行技術文献としては、例えば以下の特許文献１，２がある。
【０００８】
【特許文献１】
特開２０００−３２９９４３号公報
【特許文献２】
特開２０００−３２９９４５号公報
【０００９】
【発明が解決しようとする課題】
しかしながら、上述の光用架体は、架背面側の光ファイバ９１を、光ファイバ配線部４の搭載枠４１に収納したジャンパユニット４２の光コネクタアダプタ４５に接続し、光コネクタアダプタ４５を介して光ファイバ９１と接続された光ファイバ４４を架前面側にて所望の方向に配線することで、成端部３側の光ファイバ８１に対する光ファイバ９１の光接続等を実現する構造であり、部品点数が多い、光線路の接続点が増加する、といった不満があった。
【００１０】
本発明の目的は、上記した事情に鑑みなされたものであり、配線用エレメントが設けられる搭載枠に背面側から引き通すようにして挿通した光ファイバを、搭載枠前面側にて引き回し配線する構成により、部品点数の削減、接続点の減少等を実現できる光用架体及び光配線方式を提供することを目的とする。
【００１１】
【課題を解決するための手段】
本願における請求項１に係る発明は、複数本の光ファイバを別の光ファイバへ分岐又は接続する光用架体において、背面側から前面側まで貫通する開口部が形成されている搭載枠と、該搭載枠の背面側から開口部に挿通して前面側に引き出された光ファイバに別の光ファイバを接続した接続部が設けられる接続ユニットとを備え、前記搭載枠には、前記開口部に挿通された光ファイバを保持する光ファイバ保持体と、該光ファイバ保持体から搭載枠前面側に延出されている光ファイバを保持するとともに、該光ファイバの前記搭載枠からの引き出し方向を設定する配線用エレメントとが収納されるようになっており、前記光ファイバ保持体は、光ファイバを保持したまま前記搭載枠の背面側から前記開口部を通って前記搭載枠の前面側に取り出すことができ、さらに、前記搭載枠の前面側にて前記配線用エレメントと合体されて、前記配線用エレメントと合体したまま前記搭載枠の前面側から前記搭載枠内に収納されるようになっていることを特徴とする光用架体である。
【００１２】
本願における請求項３に係る発明は、背面側から前面側まで貫通する開口部が形成されている搭載枠の前記開口部に、光ファイバの途中に取り付けた光ファイバ保持体と、この光ファイバ保持体から搭載枠前面側に延出された前記光ファイバを保持して該光ファイバの前記搭載枠からの引き出し方向を設定する配線用エレメントとが収納されるようになっており、光ファイバの途中に取り付けた光ファイバ保持体を、搭載枠の背面側から該搭載枠の開口部を経由して搭載枠の前面側に取り出すことで、前記光ファイバを前記搭載枠の開口部に挿通せしめ、次いで、搭載枠の前面側にて、前記光ファイバ保持体と前記配線用エレメントとを合体して、前面側から搭載枠内に収納することにより、前記搭載枠から前面側へ引き出される光ファイバが配線用エレメントによって保持されることを特徴とする光配線方式である。
【００１３】
これらの構成によれば、光ファイバを搭載枠の背面側から前面側へ搭載枠に引き通すようにして配線して、前記光ファイバの搭載枠からその前面側に引き出した部分を所望の方向に配線する構造であるため、コネクタ接続や中継用の光ファイバを介する従来構造に比べて、光ファイバの配線に関わる部品点数の削減、低コスト化を容易に実現できる。複数本の光ファイバが搭載枠の開口部を通って搭載枠の前面側から引き出されて、接続ユニットで別の光ファイバと接続するので、従来のような中継の光ファイバを用いる必要がなくて部品点数を少なくでき、簡単な構成の光用架体又は光配線方式を提供できる。
【００１４】
また、これらの構成によれば、前記光ファイバ保持体は、光ファイバを保持したまま前記搭載枠の背面側から前記開口部を通って前記搭載枠の前面側に取り出すことができ、さらに、前記搭載枠の前面側にて前記配線用エレメントと合体されて、前記配線用エレメントと合体したまま前記搭載枠の前面側から前記搭載枠内に収納されるようになっているので、光ファイバ保持体と配線用エレメントとの合体が、搭載枠内ではなく搭載枠の前面側でなされるので、合体作業が容易となる。
【００１５】
本願における請求項２に係る発明は、前記搭載枠の開口部に挿通された光ファイバが、光コネクタによってコネクタ接続可能に成端された光ファイバであり、前記接続ユニットには、前記搭載枠から前面側に引き出された前記光ファイバに対して前記別の光ファイバをコネクタ接続可能に成端した光コネクタアダプタが複数、配列設置されていることを特徴とする請求項１に記載の光用架体であるので、容易に光ファイバを搭載枠から目的の接続部へコネクタ接続することができ、更に、光ファイバの接続位置の変更も同様に容易に行えるため、配線の切り換えも簡便に行える。
【００１６】
【発明の実施の形態】
以下に本発明の実施の形態について、図を参照して説明する。図１（ａ）は、本発明に係る光用架体の概要を示す前面図であり、図１（ｂ）は図１（ａ）中のＸ−Ｘ矢視図を示したものである。また、図２（ａ）はその背面図であり、図２（ｂ）は図２（ａ）中のＹ−Ｙ矢視図を示したものである。なお、以下の説明において参照する図面中、従来例の構成と同一構成については同一の符号を付すこととする。
【００１７】
光用架体１００は、架本体２内に、成端部３と光ファイバ配線部４Ａとを備えて構成されており、図１中左側の成端部３と、図１中右側の光ファイバ配線部４Ａとに２分された構造になっている。
なお、図１（ａ），（ｂ）、図２（ａ），（ｂ）において、上側が上、下側が下である。また、ここでは、図１（ａ）紙面手前，図１（ｂ）の左側，図２（ｂ）の右側を前面側と称し、図１（ｂ）の右側，図２（ａ）紙面手前，図２（ｂ）の左側を背面側と称することとする。
【００１８】
成端部３は、図１５等を参照して説明した光用架体１の成端部３と同様の構造であり、各接続ユニット３２に収納された光モジュール３１の光コネクタアダプタ３３は、架前面側に臨ませて設けられている。
【００１９】
前記光ファイバ配線部４Ａには、搭載枠５が上下に多段に収納されている。搭載枠５は、背面側（図１（ａ）紙面奥側）から前面側（図１（ａ）紙面手前側）に貫通する開口部５１を有している。なお、光ファイバ配線部４Ａは、その上下全体に渡って１つの搭載枠５が収納されたものでも構わない。
【００２０】
この搭載枠５は、薄板状の光ファイバ保持体６と、やはり薄板状の配線用エレメント７を、上下に多段に収納するラックである。光ファイバ保持体６と配線用エレメント７とは、合体されて、一枚の薄板状の光ファイバ保持ユニット１０を構成しており、搭載枠５には、前記光ファイバ保持ユニット１０が上下に多段に搭載される。光ファイバ保持体６は、背面側から搭載枠５の開口部５１内に挿入して、前面側に取り出すことができる。配線用エレメント７は、前面側から搭載枠５の開口部５１内に挿入するようにして、光ファイバ保持体６に合体することができる。各光ファイバ保持ユニット１０は、配線用エレメント７が、光ファイバ保持体６に対して架体前面側に配置されるようにして、搭載枠５に搭載される。
【００２１】
また、搭載枠５の開口部５１には、光ファイバ配線部４Ａ側に導入された光ファイバケーブル９の端末から口出しされた多数本の光ファイバ９１が、背面側から前面側に貫通させて挿通されており、この光ファイバ９１の架本体２の前面側へ引き出された部分は光コネクタ９２（図１１参照）によってコネクタ接続可能に成端されており、成端部３の光モジュール３１へ前面側より導入して光コネクタアダプタ３３に切り替え可能にコネクタ接続することができる。搭載枠５内に挿通された光ファイバ９１は、搭載枠５内に収容された光ファイバ保持体６と配線用エレメント７とに保持されており、配線用エレメント７から架前面側の所望の方向に引き出すようにして配線される。
前記光ファイバ９１は、成端部３内の各光モジュール３１の光コネクタアダプタ３３に対して選択的にコネクタ接続できる。これにより光モジュール３１にて、光ファイバ配線部４Ａ側の光ファイバケーブル９から口出ししている光ファイバ９１と、成端部３側の光ファイバケーブル８から口出ししている光ファイバ８１とが光接続される。
【００２２】
なお、光ファイバ９１は、この実施形態では、多心又は単心の光ファイバコードであるが、これに限定されず、多心又は単心の光ファイバ心線等であっても良い。図２（ａ）等に示すように、光ファイバ８１，９１は、光ファイバ配線部４の背面側に導入された光ファイバケーブル８，９から口出しされたものであるが、本発明において、これら光ファイバ８１，９１は、必ずしも、光ファイバケーブルから口出しされたものである必要はなく、例えば、光用架体に外側から引き込まれた光ファイバ（例えば、光ファイバコード、光ファイバ心線等）自体であっても良い。また、これら光ファイバ８１，９１を架体に引き込むための、光ファイバケーブル８，９の架本体への導入位置も、図２（ａ）に例示したものに限定されるものではない。
【００２３】
図１（ａ）中、符号２１は、搭載枠５と成端部３との間に確保された余長収納空間であり、搭載枠５から成端部３へ引き込み配線した光ファイバ９１の余長９３が取り出し可能に収納される。この余長収納空間２１では、光ファイバ９１の余長９３が、湾曲維持用部材（図示略）等によって、光特性に悪影響を与えない湾曲半径を維持して収納される。
図２（ａ）に示すように、架体背面側に設置された余長収納ボックス２２は、光ファイバケーブル８から口出しされた光ファイバ８１に確保した余長８３を取り出し可能に収納するものである。
【００２４】
本発明では、このように、光ファイバケーブル９から口出しされている光ファイバ９１に、別途、ジャンパコードを接続する従来構成とは異なり、光ファイバ９１は、搭載枠５の開口部５１に挿通されて搭載枠５を貫通して配線されて、背面側から前面側に引き出されており、直接成端部３に引き込んで、光モジュール３１の光コネクタアダプタ３３に対して切り替え可能にコネクタ接続できるようになっている。
【００２５】
次に本発明の要旨となる光ファイバ配線部４Ａを構成する搭載枠５、光ファイバ保持体６、配線用エレメント７について、光ファイバ保持体６と配線用エレメント７の搭載枠５への収納方法も含めてより詳しく説明する。
図３は、光ファイバ保持体６と配線用エレメント７が搭載枠５に収容された状態を示す概略上面図である。図３において、紙面上側が架本体２の背面側であり、紙面下側が架本体２の前面側である。
【００２６】
図４は、搭載枠５の一例を示す背面図であり、図５は、図４中Ａ−Ａ線での断面図を示す。搭載枠５は、背面側から前面側まで貫通した開口部５１を有する角筒状のものである。なお、この搭載枠５は、ボルト等の固定手段によって架本体２に固定したり、架本体２に設けられた棚上に搭載することなどによって、架本体２に搭載される。
また、図４に示されたように、搭載枠５の背面側には、保持体係合部５３と孔開き板５４とが設けられている。これら保持体係合部５３と孔開き板５４とは、搭載枠５の開口部５１を介して両側に対向位置されている。
【００２７】
図４において、左右を横方向、上下を縦方向とすると、保持体係合部５３と孔開き板５４は開口部５１を介して横方向に対向して位置する。保持体係合部５３は、図４右側の搭載枠５側壁から開口部５１内に張り出す板状の部材であって、搭載枠５の右側壁部５２ａに沿って該右側壁部５２ａの上下方向全体に渡って延在している。また、孔開き板５４は、図４左側の搭載枠５の左側壁部５２ｂから開口部５１内に張り出す板状の部材であり、左側壁部５２ｂに沿って該左側壁部５２ｂの上下方向全体にわたって延在している。この孔開き板５４には、複数の孔５４ａが該左側壁部５２ｂの延在方向に沿って配列して形成されている。
前記保持体係合部５３と孔開き板５４は、搭載枠５に挿入、収納した光ファイバ保持体６に対して、搭載枠５の背面側への移動を規制するストッパ部として機能するとともに、この実施形態では、孔開き板５４は、光ファイバ保持体６を搭載枠５内でガタ付かないように安定支持するための保持手段としても機能する。
【００２８】
この搭載枠５の内側面５５には、図５に示されたように、搭載枠５の前面から背面に向かって延びるガイド突条５６が上下に多段に設けられている。上下のガイド突条５６の間に形成された収納溝５７は、搭載枠５の前面から背面に向かって延在形成されている。搭載枠５の開口部５１に挿入された光ファイバ保持ユニット１０（本実施形態において具体的には光ファイバ保持体６）は、横方向両端部を搭載枠５の横方向両側の収納溝５７によってほぼ水平に支持されるようになっている。これにより、搭載枠５には、複数の光ファイバ保持ユニット１０を上下に多段に搭載できるようになっている。
【００２９】
なお、搭載枠としては、収納溝、あるいは、搭載枠の開口部に挿入された光ファイバ保持体６を支持するための支持突起（前述のガイド突条等）が形成された一対の側壁部を有し、この両側の側壁部の収納溝あるいは支持突起によって、該一対の側壁部の間の開口部（換言すれば光ファイバ保持体が挿入、収容される空間）に挿入された光ファイバ保持体６を保持できる構成であればよく、前述した角筒状の構成に限定されない。また、この実施の形態では、搭載枠として、上下方向に延在する一対の側壁部（右側壁部５２ａと左側壁部５２ｂ）に、光ファイバ保持ユニット１０を支持するための収納溝５７が上下に多段に形成されたものを例示しているが、本発明はこれに限定されず、収納溝５７が形成される一対の側壁部の延在方向が例えば水平方向になっているもの等でも良く、一対の側壁部の延在方向の向きには限定は無い。また、収納溝５７は、搭載枠の前後方向（背面側と前面側とを結ぶ方向。図５（ａ）奥行き方向、図５（ｂ）左右方向）に沿って延在するものであれば良く、必ずしも、側壁部の延在方向に対して直交する方向に延在するものである必要は無い。
【００３０】
収納溝５７や支持突起は、搭載枠５の一対の側壁部に直接形成されたものに限定されず、例えば、搭載枠は、スチール板等の金属板によって形成された一対の側壁部に接合したインナープレートに形成されたもの等であっても良い。この場合は、インナープレートが接合された側壁部によって、搭載枠の側壁部が構成される。インナープレートは、例えばプラスチック等の樹脂製のもの等を採用できる。例えば、インナープレートとして、保持体係合部５３又は孔開き板５４が一体に形成されたものを採用することができ、この場合は、インナープレートを搭載枠の側壁部に取り付けるだけで、これに一体の保持体係合部５３や孔開き板５４も搭載枠に簡単に設けることができる。
また、光ファイバ保持体６や、配線用エレメント７の構成や寸法等に対応して、適宜、これら光ファイバ保持体６や、配線用エレメント７の安定支持に適したインナープレートを選択使用することも可能である。
【００３１】
図６は、光ファイバ保持体６の一例を示す平面図であり、図７は、図６中Ｂ−Ｂ’線での断面図を示す。光ファイバ保持体６は、プラスチック等の合成樹脂によって薄板状に形成された保持体本体６Ａを有している。この保持体本体６Ａの上面６Ｂ上には、該保持体本体上面６Ｂから窪んだ形状の光ファイバ配線溝６３が、保持体本体６Ａの背面側端面６１（搭載枠５に設置したときに架背面側に向けられる端面）から前面側端面６２（搭載枠５に設置したときに架前面側に向けられる端面）にわたって貫通して形成されている。符号６３ａは光ファイバ配線溝６３が背面側端面６１に開口する開口部である。光ファイバ配線溝６３内には、多数本の光ファイバ９１を収納可能である。
【００３２】
また、符号６５のクランプ６５は、光ファイバ配線溝６３内に収容された光ファイバ９１が光ファイバ配線溝６３から飛び出ないように押さえ込む機能を果たすものであり、保持体本体６Ａに対して着脱可能になっている。
【００３３】
また、光ファイバ保持体６の背面側の一方の角部には、搭載枠５の角部に設けられた孔開き板５４の孔５４ａに係合する係合突部６８ｃが設けられている。
係合突部６８ｃは、保持体本体６Ａに設けられた係合突部基部６８ａ、及び係合突部基部６８ａの先端部に一体として設けられており、孔開き板５４の孔５４ａに係合する部分である係合突部係合部６８ｂとを備えている。
【００３４】
係合突部６８ｃは、後述する光ファイバ保持体６を搭載枠５に連結するためのものである。
また、光ファイバ保持体６の前面側の他方の角部には、配線用エレメント７の係合突起７６が係合する孔部７９が設けられている。
【００３５】
前記した光ファイバ保持体６の前面側には、図３に示すように、配線用エレメント７が接続、合体できるようになっている。この配線用エレメント７は、プラスチック等の合成樹脂によって薄板状に形成されたエレメント本体７Ａと、このエレメント本体７Ａに設けられた回転軸７１によってエレメント本体７Ａに対して回転自在に枢着された可動アーム７２とを有している。
可動アーム７２は、配線用エレメント７を搭載枠５に収納したとき（図１（ｂ）に示す状態）に、エレメント本体７Ａに対して架前面側に配置されるようになっており、しかも、図３に示すように、前記回転軸７１を中心として搭載枠５の前後方向にほぼ直交する方向の軸線を以て回転（この実施形態では上下方向の軸線を中心とする回転）することによって、搭載枠５に対する可動アーム７２の向きを変更できる。
【００３６】
可動アーム７２には、配線用エレメント７に合体される光ファイバ保持体６から前面側端面６２の側に延出されている光ファイバ９１を保持する光ファイバ保持部７３が設けられている。
前記光ファイバ保持部７３は、可動アーム７２に形成された光ファイバ収容溝７４と、この光ファイバ収容溝７４に収容された光ファイバ９１が光ファイバ収容溝７４から飛び出ないように押さえ込む保持片７５とを有して構成されている。前記光ファイバ収容溝７４は、可動アーム７２を貫通して形成されており、しかも、多数本の光ファイバ９１を収容できるようになっている。保持片７５は、光ファイバ収容溝７４上を覆うように配置された小片であり、この保持片７５を光ファイバ収容溝７４から押し上げるようにして、光ファイバ収容溝７４を開放することで、光ファイバ収容溝７４に対する光ファイバ９１の収容や取り出し等の作業を行うことが可能である。
【００３７】
配線用エレメント７は、光ファイバ保持体６から架体前面側に引き出される光ファイバ９１を、可動アーム７２の光ファイバ保持部７３に保持し、しかも、前記回転軸７１を中心とする可動アーム７２の回転によって、光ファイバ９１の搭載枠５から架体前面側に引き出された部分の配線方向（換言すれば、搭載枠から架前面側への引き出し方向）の選択、切り替え、変更等を容易に行えるようにする機能を果たす。
なお、配線用エレメント７としては、搭載枠５から架体前面側に引き出された光ファイバの配線方向の選択、切り替え、変更を簡単に行えるようにする構成であれば良く、前述した可動アーム７２のように、架体前面側にて光ファイバを保持したまま回転することで光ファイバの配線方向を変更、設定する部材を備える構造の他、例えば、架体前面側に突出されたアーム（図示略）の複数箇所に設けられている光ファイバ保持部を選択して、光ファイバを保持することで、光ファイバの配線方向を設定できる構造を有するもの等、各種構成を採用できる。
【００３８】
次に、前記光ファイバ保持体６と配線用エレメント７を搭載枠５へ収納する方法（換言すれば、本発明に係る光用架体、光配線方式における、光ファイバ保持体６や配線用エレメント７を用いた、光ファイバの配線手順）を、図８〜図１０等を参照して説明する。
まず、図８に示すように、光ファイバ保持体６の光ファイバ配線溝６３（図６，図７参照）に光ファイバ９１を収容して、クランプ６５を用いて押さえ込み、光ファイバ９１の途中に光ファイバ保持体６を取り付けた状態とする。
【００３９】
それから、図８に示されたように、光ファイバ保持体６が搭載枠５に収容される位置に対し、光ファイバ保持体６を反時計回りに９０°回転させた状態で、光ファイバ保持体６を搭載枠５の背面側の開口部５１から前面側に向かって挿入する。
光ファイバ保持体６の側面長さＬより、搭載枠５の背面側の開口部長さＷが大きいため、光ファイバ保持体６は搭載枠５の開口部５１に挿入可能である。
尚、図８において、光ファイバ保持体６を反時計回りに９０°回転させた状態で、光ファイバ保持体６を搭載枠５の背面側の開口部５１から前面側に向かって挿入しているが、光ファイバ保持体６の回転方向、回転角度は問題とされず、光ファイバ保持体６の側面長さＬより、搭載枠５の背面側の開口部長さＷが大きければ、光ファイバ保持体６の挿入が可能となる。
【００４０】
このとき、光ファイバ保持体６から引き出された光ファイバ９１は、光ファイバ保持体６の挿入方向後方に位置することとなるため、光ファイバ９１が邪魔にならずに容易に光ファイバ保持体６を搭載枠５に挿入することができる。
【００４１】
そして、図９に示されたように光ファイバ保持体６を搭載枠５の開口部５１に通し、この光ファイバ保持体６が完全に搭載枠５の前面より外方の位置にもってくる。
次に、光ファイバ保持体６を搭載枠５の前面側の外方で回転させて、この状態で光ファイバ保持体６の孔部６９に配線用エレメント７の係合突起７６を係合させて、両者を合体させる。
尚、合体のための構造には、特に限定はなく、嵌合、連結用クリップ等を用いた結合等、各種が採用可能である。
【００４２】
そして、配線用エレメント７の溝７８内に光ファイバ９１を嵌めると共に、保持片７５を開けて、図３に示されたように光ファイバ保持体６から引き出された光ファイバ９１の途中の経路を光ファイバ収容溝７４に収容する。
【００４３】
光ファイバ保持体６と配線用エレメント７を合体させた状態で、搭載枠５の前面側から搭載枠５の開口部５１へ挿入し、搭載枠５に設けられた孔開き板５４の孔５４ａに光ファイバ保持体６の係合突部６８ｃを係合させる。
以上により、図３に示されたように、光ファイバ保持体６及び配線用エレメント７が搭載枠５の背面側に連結された状態となる。
【００４４】
以上のようにして、本発明の光用架体１は、図１１に示されたように、ジャンパーコードを用いず、光ファイバ９１は、搭載枠５を通り、背面側から前面側に引き出される。
【００４５】
本発明の一例として説明した光用架体１００及び光配線方式では、該光用架体１００の背面側に導入された光ファイバ９１を、搭載枠５の背面側から前面側へ搭載枠５に引き通すようにして配線して、コネクタ接続や中継用の光ファイバを介することなく、搭載枠５からその前面側に引き出した光ファイバ９１を所望の方向に配線する構造であるため、コネクタ接続や中継用の光ファイバを介する従来構造に比べて、光ファイバの配線に関わる部品点数の削減、低コスト化が容易である。また、接続箇所の減少によって、接続による光損失を抑えることができる利点もある。
【００４６】
なお、光ファイバ保持体や配線用エレメントや搭載枠等の具体的構造、形状等は、前述した実施形態に記載したものに限定されず、適宜変更可能である。
光用架体の成端部は、光モジュールの光コネクタアダプタ（接続部）によって、光ファイバ同士の接続を実現する構成に限定されず、光ファイバ同士の接続部が設置される構成であれば良く、例えば、光ファイバ同士の接続部として採用した融着接続部等を収納する構造等、各種構成を採用可能である。
本発明に係る光配線方式は、光用架体に限定されず、光ファイバを保持する光ファイバ保持体と、光ファイバの配線方向を設定する配線用エレメントとを具備して構成される光ファイバ保持ユニットを搭載する搭載枠を有する各種構成の光配線設備に適用できる。
【００４７】
【発明の効果】
以上詳細に説明したように、本発明によれば、光ファイバを搭載枠の背面側から前面側へ搭載枠に引き通すようにして配線して、前記光ファイバの搭載枠からその前面側に引き出した部分を所望の方向に配線する構造であるため、コネクタ接続や中継用の光ファイバを介する従来構造に比べて、光ファイバの配線に関わる部品点数の削減、低コスト化を容易に実現できる。複数本の光ファイバが搭載枠の開口部を通って搭載枠の前面側から引き出されて、接続ユニットで別の光ファイバと接続するので、従来のような中継の光ファイバを用いる必要がなくて部品点数を少なくでき、簡単な構成の光用架体又は光配線方式を提供できる。
【００４８】
また、本発明によれば、前記光ファイバ保持体は、光ファイバを保持したまま前記搭載枠の背面側から前記開口部を通って前記搭載枠の前面側に取り出すことができ、さらに、前記搭載枠の前面側にて前記配線用エレメントと合体されて、前記配線用エレメントと合体したまま前記搭載枠の前面側から前記搭載枠内に収納されるようになっているので、光ファイバ保持体と配線用エレメントとの合体が、搭載枠内ではなく搭載枠の前面側でなされるので、合体作業が容易となる。
【図面の簡単な説明】
【図１】本発明の光用架体の一例を示す概略図であり、（ａ）は前面図であり、（ｂ）は（ａ）中のＸ−Ｘ矢視図である。
【図２】本発明の光用架体の一例を示す概略図であり、（ａ）は背面図であり、（ｂ）は（ａ）中のＹ−Ｙ矢視図である。
【図３】搭載枠に収容された光ファイバ保持体と薄板状の配線用エレメントの一例を示す概略図である。
【図４】搭載枠の一例を示す背面図である。
【図５】図４中Ａ−Ａ線での断面図である。
【図６】光ファイバ保持体の一例を示す上面図である。
【図７】図６中Ｂ−Ｂ’線での断面図である。
【図８】搭載枠の背面側にて、光ファイバ保持体を光ファイバに取り付けた状態を示す平断面図である。
【図９】図８の光ファイバ保持体を搭載枠の開口部に挿入、通過させて、搭載枠の前面側に取り出した状態を示す平断面図である。
【図１０】図９の光ファイバ保持体を搭載枠前面側から搭載枠の開口部に挿入した状態を示す平断面図である。
【図１１】本発明の光用架体の一例を示す配線図である。
【図１２】従来の光用架体の一例を示す概略図であり、（ａ）は前面図であり、（ｂ）は（ａ）中のＸ−Ｘ矢視図である。
【図１３】従来の光用架体の一例を示す配線図である。
【符号の説明】
５‥‥搭載枠、６‥‥光ファイバ保持体、７‥‥配線用エレメント、８，９‥‥光ファイバケーブル、３１‥‥接続部（成端モジュール）、３２‥‥接続ユニット、３３‥‥光コネクタアダプタ、５１‥‥開口部、８１，９１‥‥光ファイバ、９２‥‥光コネクタ、１００‥‥光用架体
【図１】
2004309728.tif 000003
【図２】
2004309728.tif 000004
【図３】
2004309728.tif 000005
【図４】
2004309728.tif 000006
【図５】
2004309728.tif 000007
【図６】
2004309728.tif 000008
【図７】
2004309728.tif 000009
【図８】
2004309728.tif 000010
【図９】
2004309728.tif 000011
【図１０】
2004309728.tif 000012
【図１１】
2004309728.tif 000013
【図１２】
2004309728.tif 000014
【図１３】
2004309728.tif 000015